(57)【要約】【課題】冷却風の制御のし易さを向上させ、発光部の上部と下部の温度の適正化が図れると共に、発光部全体をバランスの取れた温度分布とさせることが可能で、設置姿勢の変化にも対応できる光源装置、及びこの光源装置を備えたプロジェクターを提供する。【解決手段】光源装置４は、発光部５１と封止部５２Ａ，５２Ｂを有する発光管５と、反射面６２１と、封止部５２Ａが挿通される挿通孔６１１を有するリフレクター６と、挿通孔６１１を覆ってリフレクター６に固定され、一方の封止部５２Ａを固定すると共に、リフレクター６の内面側と外面側とを連通する通気口７３を有する固定部材７と、通気口７３の開閉動作を行う開閉部７４と、を備えている。開閉部７４は、通気口７３を開閉する開閉蓋７６と、開閉蓋７６を固定部材７に回動可能に支持する支軸７５と、を備え、開閉部７４は、開閉蓋７６の自重により支軸７５を中心に回動して開閉動作を行う。【選択図】図３
2014048554.tif 000002
【特許請求の範囲】
【請求項１】
光束を射出する発光部と当該発光部の両側に延出する一対の封止部とを有する発光管と、
前記光束を反射する反射面を内面側に有して形成され、一方の前記封止部が前記内面側から挿通される挿通孔を有するリフレクターと、
前記挿通孔を覆って前記リフレクターに固定され、前記挿通孔に挿通された前記一方の封止部を固定すると共に、前記リフレクターの前記内面側と外面側とを連通する通気口を有する固定部材と、
前記通気口の開閉動作を行う開閉部と、を備えていることを特徴とする光源装置。
【請求項２】
請求項１に記載の光源装置であって、
前記開閉部は、前記通気口を開閉する開閉部材と、当該開閉部材を前記固定部材に回動可能に支持する支軸と、を備え、
前記開閉部は、前記開閉部材の自重により前記支軸を中心に回動して前記開閉動作を行うことを特徴とする光源装置。
【請求項３】
請求項２に記載の光源装置であって、
前記通気口は、光軸に対して略平行方向に延びる前記固定部材の側面部に複数設置され、
前記開閉部は、前記複数の通気口に対応して設置されていることを特徴とする光源装置。
【請求項４】
請求項３に記載の光源装置であって、
前記複数の通気口は、前記光軸に対して略対称に設置されていることを特徴とする光源装置。
【請求項５】
請求項１に記載の光源装置であって、
前記開閉部は、所定の位置に開口部が形成される回動部材と、当該回動部材を前記固定部材に回動可能に支持する支持部と、を備え、
前記開閉部は、前記回動部材が回動することにより、前記開口部と前記通気口との重なる領域を開口する前記開閉動作を行うことを特徴とする光源装置。
【請求項６】
請求項５に記載の光源装置であって、
前記通気口は、光軸に対して略平行方向に延びる前記固定部材の側面部に設置され、
前記回動部材は、前記通気口に対応して略筒状に形成されていることを特徴とする光源装置。
【請求項７】
請求項５に記載の光源装置であって、
前記通気口は、光軸に対して略直交する前記固定部材の端面部に設置され、
前記回動部材は、前記通気口に対応して略板状に形成されていることを特徴とする光源装置。
【請求項８】
請求項５〜請求項７のいずれか一項に記載の光源装置であって、
前記回動部材は、錘を有し、当該錘により回動することを特徴とする光源装置。
【請求項９】
請求項５〜請求項８のいずれか一項に記載の光源装置であって、
前記開口部は、複数形成されていることを特徴とする光源装置。
【請求項１０】
請求項９に記載の光源装置であって、
前記複数の開口部は、光軸に対して略対称に形成されていることを特徴とする光源装置。
【請求項１１】
請求項１〜請求項１０のいずれか一項に記載の光源装置と、
前記光源装置から射出された前記光束を画像情報に応じて変調する光変調装置と、
を備えていることを特徴とするプロジェクター。
【請求項１２】
請求項１１に記載のプロジェクターであって、
前記リフレクターの上側と下側に設置されて前記リフレクターの前記内面側に冷却風を流入させるダクトを有し、前記光源装置の設置姿勢に対応して、前記リフレクターの前記上側となる一方の前記ダクトから前記冷却風を流入させる冷却機構を備えていることを特徴とするプロジェクター。
【発明の詳細な説明】
【技術分野】
【０００１】
本発明は、光源装置、および、この光源装置を備えたプロジェクターに関する。
【背景技術】
【０００２】
従来、光源装置から射出された光束を画像情報に応じて変調して投写するプロジェクターが知られている。近年、投写される画像を鮮明に表示させるために、光源装置の高輝度化が要求され、超高圧水銀ランプ等の光源が用いられている。
【０００３】
図８は、従来の光源装置２００を示す概断面図である。図８に示すように、光源装置２００は、発光管２１０とリフレクター２２０と固定部材２３０とを備えている。発光管２１０は、光束を射出する発光部２１１と、発光部２１１の両側から延出する一対の封止部２１２とを有している。また、リフレクター２２０は、光束を反射する反射面２２１を内面側に有し、一方の封止部２１２ａが挿通される挿通孔２２２を有している。固定部材２３０は、挿通孔２２２に挿通された一方の封止部２１２ａを固定すると共にリフレクター２２０に固定されている。また、固定部材２３０には、リフレクター２２０の内面側の空間とリフレクター２２０の外面側の空間とを連通させる通気口２３１が備わっている。
【０００４】
また、リフレクター２２０の光束射出側となる開口端部２２３の上下側には、冷却風Ｄをリフレクター２２０内部に流入させる流入口２５０が設置されている。また、上下側に設置される流入口２５０に対して、水平側には、排気口（図示省略）が設置されている。この上下側の流入口２５０は、光源装置２００の設置姿勢（プロジェクターの設置姿勢）に従って、上側となる流入口２５０から冷却風Ｄが流入するように構成されている。
【０００５】
なお、光源装置２００の上側の流入口２５０からリフレクター２２０内に流入した冷却風Ｄは、発光部２１１に流動し、発光により発生した熱を奪い、温められた冷却風Ｄが排気口から排気されることで、発光部２１１が冷却される。このとき、温められた冷却風Ｄは、固定部材２３０に備わる通気口２３１を流動して、リフレクター２２０の外面側にも排気される。
【０００６】
なお、発光部２１１を冷却する場合、発光部２１１の上部２１１ａが下部２１１ｂに比べて発熱するため、発光部２１１の上部２１１ａを積極的に冷却すると共に発光部２１１の下部２１１ｂも適度に冷却することで、発光部２１１の上部２１１ａと下部２１１ｂの温度が適切な温度となると共に、発光部２１１全体の温度がバランスの取れた温度分布となるように冷却することが重要となる。そのためには、リフレクター２２０内を流動させる冷却風Ｄの流動のさせ方が重要となる。
【０００７】
なお、特許文献１に記載のランプユニット（光源装置）のように、リフレクターの首状部に、上部吸気孔と下部吸気孔を設け、首状部を覆って設けられた送風ダクトに、吸気ファンからの風を送風することで、上部吸気孔と下部吸気孔を流動した風が、発光部を直接的に冷却する構成のものもある。
【先行技術文献】
【特許文献】
【０００８】
【特許文献１】特開２００４−２７６７８６号公報
【発明の概要】
【発明が解決しようとする課題】
【０００９】
しかし、光源装置の冷却において、主に流入口や排気口を利用し、補助的に固定部材に備わる通気口を利用する従来の冷却では、発光部の上部と下部の温度が適切な温度となるように冷却風を制御することは難しいという課題があった。また、同様に、発光部全体がバランスの取れた温度分布となるように冷却風を制御することは難しいという課題があった。また、光源装置の設置姿勢が変化した場合の冷却においても同様の課題があった。
従って、冷却風の制御のし易さを向上させ、発光部の上部と下部の温度の適正化が図れると共に、発光部全体をバランスの取れた温度分布とさせることが可能で、設置姿勢の変化にも対応できる光源装置、及びこの光源装置を備えたプロジェクターが要望されていた。
【課題を解決するための手段】
【００１０】
本発明は、上述した課題の少なくとも一部を解決するためになされたものであり、以下の形態または適用例として実現することが可能である。
【００１１】
［適用例１］本適用例に係る光源装置は、（ａ）光束を射出する発光部と発光部の両側に延出する一対の封止部とを有する発光管と、（ｂ）光束を反射する反射面を内面側に有して形成され、一方の封止部が内面側から挿通される挿通孔を有するリフレクターと、（ｃ）挿通孔を覆ってリフレクターに固定され、挿通孔に挿通された一方の封止部を固定すると共に、リフレクターの内面側と外面側とを連通する通気口を有する固定部材と、（ｄ）通気口の開閉動作を行う開閉部と、を備えていることを特徴とする。
【００１２】
このような光源装置によれば、発光管、リフレクター、固定部材、開閉部を備えて構成され、開閉部が固定部材の通気口を開閉させる。この構成により、光源装置は、開閉部で通気口の開閉動作を行うことにより、発光管を冷却するためにリフレクターの内面側を流動する冷却風に対し、通気口を開口して冷却風をリフレクターの外面側に排気する制御を行い、また、通気口を閉塞して冷却風を排気しない制御を行うことができる。これにより、光源装置は、リフレクターの内面側を流動する冷却風の制御のし易さを向上させることができる。そのため、発光部の上部と下部の温度の適正化が図れると共に、発光部全体をバランスの取れた温度分布とさせることが可能となる。
【００１３】
［適用例２］上記適用例に係る光源装置において、開閉部は、通気口を開閉する開閉部材と、開閉部材を固定部材に回動可能に支持する支軸と、を備え、開閉部は、開閉部材の自重により支軸を中心に回動して開閉動作を行うことが好ましい。
【００１４】
このような光源装置によれば、開閉部は、開閉部材の自重により支軸を中心に固定部材に対して回動して通気口を開口または閉塞する。この構成により、開閉部をシンプルな構成で実現することができる。
【００１５】
［適用例３］上記適用例に係る光源装置において、通気口は、光軸に対して略平行方向に延びる固定部材の側面部に複数設置され、開閉部は、複数の通気口に対応して設置されていることが好ましい。
【００１６】
このような光源装置によれば、開閉部は、光軸に対して略平行方向に延びる固定部材の側面部に設置された複数の通気口に対して、それぞれ設けられるため、光源装置の設置姿勢が変化しても、選択的に通気口を開口および閉塞させることができる。従って、光源装置の設置姿勢が変化しても発光部の上部と下部の温度の適正化が図れると共に、発光部全体をバランスの取れた温度分布とさせることが可能となる。
【００１７】
［適用例４］上記適用例に係る光源装置において、複数の通気口は、光軸に対して略対称に設置されていることが好ましい。
【００１８】
このような光源装置によれば、複数の通気口が光軸に対して略対称に設置されることにより、光源装置の設置姿勢が変化しても、発光部の上部と下部の温度や、発光部の温度分布を、略同様の温度や温度分布とさせることができる。これにより、光源装置の姿勢差による温度や温度分布のバラツキを抑制することができ、安定した冷却を行うことができる。
【００１９】
［適用例５］上記適用例に係る光源装置において、開閉部は、所定の位置に開口部が形成される回動部材と、回動部材を固定部材に回動可能に支持する支持部と、を備え、開閉部は、回動部材が回動することにより、開口部と通気口との重なる領域を開口する開閉動作を行うことが好ましい。
【００２０】
このような光源装置によれば、開閉部は回動部材と支持部とを備えている。また、回動部材は、所定の位置に開口部が形成されているため、回動部材の重心の偏りにより、支持部に支持されて固定部材に対して回動する。この動作により、回動部材の開口部と通気口とが重なる領域は、リフレクターの内面側と外面側とが連通するように開口され、開口部と通気口とが重ならない領域や、回動部材の開口部以外の領域では開口されない。この構成により、光源装置は、リフレクターの内面側を流動する冷却風の制御のし易さを向上させることができる。そのため、発光部の上部と下部の温度の適正化が図れると共に、発光部全体をバランスの取れた温度分布とさせることが可能となる。また、光源装置の設置姿勢が変化しても、姿勢差による温度や温度分布のバラツキを抑制することができ、安定した冷却を行うことができる。
【００２１】
［適用例６］上記適用例に係る光源装置において、通気口は、光軸に対して略平行方向に延びる固定部材の側面部に設置され、回動部材は、通気口に対応して略筒状に形成されていることが好ましい。
【００２２】
このような光源装置によれば、回動部材が固定部材の側面部に設置された通気口に対応して略筒状に形成されることにより、回動部材をシンプルな構成で実現できると共に、通気口を容易に開閉することができる。
【００２３】
［適用例７］上記適用例に係る光源装置において、通気口は、光軸に対して略直交する固定部材の端面部に設置され、回動部材は、通気口に対応して略板状に形成されていることが好ましい。
【００２４】
このような光源装置によれば、回動部材が固定部材の端面部に設置される通気口に対応して略板状に形成されることにより、回動部材をシンプルな構成で実現できると共に、通気口を容易に開閉することができる。
【００２５】
［適用例８］上記適用例に係る光源装置において、回動部材は、錘を有し、錘により回動することが好ましい。
【００２６】
このような光源装置によれば、回動部材に錘を有することにより、回動部材は、支持部を中心に回動し易くなる。従って、開閉部の開閉動作をスムーズに行わせることができる。
【００２７】
［適用例９］上記適用例に係る光源装置において、開口部は、複数形成されていることが好ましい。
【００２８】
このような光源装置によれば、開口部が複数形成されるため、光源装置の設置姿勢が変化しても、選択的に通気口を開口および閉塞させることができる。従って、光源装置の設置姿勢が変化しても発光部の上部と下部の温度の適正化が図れると共に、発光部全体をバランスの取れた温度分布とさせることが可能となる。
【００２９】
［適用例１０］上記適用例に係る光源装置において、複数の開口部は、光軸に対して略対称に形成されていることが好ましい。
【００３０】
このような光源装置によれば、複数の開口部が光軸に対して略対称に設置されることにより、開閉部による通気口の開閉動作を行うことで、光源装置の設置姿勢が変化しても、発光部の上部と下部の温度や、発光部の温度分布を、略同様の温度や温度分布とさせることができる。これにより、光源装置の姿勢差による温度や温度分布のバラツキを抑制することができ、安定した冷却を行うことができる。
【００３１】
［適用例１１］本適用例に係るプロジェクターは、上述した光源装置と、光源装置から射出された光束を画像情報に応じて変調する光変調装置と、を備えていることを特徴とする。
【００３２】
このようなプロジェクターによれば、リフレクターの内面側を流動する冷却風の制御のし易さを向上させ、発光部の上部と下部の温度の適正化が図れると共に、発光部全体をバランスの取れた温度分布とさせることが可能で、設置姿勢の変化にも対応できる光源装置を備えるため、光源装置の長寿命化を図ることが可能となる。そのため、投写画像の輝度等の光学品質を長期間維持することができる。また、光源装置の交換時期を延ばすことができるため、プロジェクターの利便性を向上させることができる。
【００３３】
［適用例１２］上記適用例に係るプロジェクターにおいて、リフレクターの上側と下側に設置されてリフレクターの内面側に冷却風を流入させるダクトを有し、光源装置の設置姿勢に対応して、リフレクターの上側となる一方のダクトから冷却風を流入させる冷却機構を備えていることが好ましい。
【００３４】
このようなプロジェクターによれば、上述する冷却機構を備えることにより、上側のダクトからリフレクター内面側に冷却風を流入させて発光管を冷却する。また、開閉部の開閉動作により通気口を選択的に開閉することにより、発光管を冷却して温まった冷却風を、開口した通気口からリフレクターの外面側に排気することができる。このように、冷却機構と、上述した光源装置とで、発光管を冷却することにより、従来は補助的に使用されていた固定部材の通気口を、主体的に使用して適正な温度制御が行えるプロジェクターを実現することができる。
【図面の簡単な説明】
【００３５】
【図１】第１実施形態に係るプロジェクターの概構成を模式的に示す図。
【図２】光源装置の概断面図。
【図３】光源装置を後方から見た概図。
【図４】第２実施形態に係る光源装置を示す概図であり、（ａ）は固定部材の斜視図であり、（ｂ）は光源装置の概断面図。
【図５】光源装置の概断面図であり、（ａ）は照明光軸を通るＸＹ平面で固定部材周辺を切断した図であり、（ｂ）は照明光軸を通るＸＺ平面で固定部材周辺を切断した図。
【図６】光源装置を後方から見た概図。
【図７】第３実施形態に係る光源装置を示す概図であり、（ａ）は光源装置の概断面図であり、（ｂ）は光源装置を後方から見た概図。
【図８】従来の光源装置を示す概断面図。
【発明を実施するための形態】
【００３６】
以下、実施形態を図面に基づいて説明する。
（第１実施形態）
【００３７】
図１は、第１実施形態に係るプロジェクター１の概構成を模式的に示す図である。なお、図１は、机上に設置されるプロジェクター１の内部構成を上方から見た図である。なお、本実施形態のプロジェクター１は、机上設置の他、天吊り設置される。また、説明の便宜上、プロジェクター１は、机上設置されていることを前提とする。図１を参照して、本実施形態のプロジェクター１の概構成を説明する。
【００３８】
図１を含む以降の図面では、説明の便宜上、ＸＹＺ直交座標系で記載する。ＸＹＺ直交座標系は、光源装置４から射出された光束の進行方向となる照明光軸ＯＡに沿う方向をＸ（＋Ｘ）方向とする。そして、Ｘ方向に直交し、投写レンズ３５から画像光が射出される方向とは逆側の方向をＹ（＋Ｙ）方向とする。更に、Ｘ方向およびＹ方向に直交し、かつ、机上設置での上方向（重力方向に逆らう方向）をＺ方向（＋Ｚ）とする。
【００３９】
なお、＋Ｘ方向を前方、−Ｘ方向を後方とし、光源装置４を後方（−Ｘ方向）から見た場合の−Ｙ方向を右方向、＋Ｙ方向を左方向とし、＋Ｚ方向を上方、−Ｚ方向を下方として、適宜使用する。また、図１を含む以降の図面では、各構成要素を図面上で認識できる程度の大きさとするため、各構成要素の寸法や比率を実際のものとは適宜異ならせて示している。
【００４０】
本実施形態のプロジェクター１は、光源装置４から射出される光束を画像情報に応じて変調してスクリーン（図示省略）等の投写面に拡大投写する装置である。図１に示すように、プロジェクター１は、光学ユニット３、制御部（図示省略）、制御部等に電力を供給する電源ユニット（図示省略）、およびプロジェクター１内部を冷却する冷却機構２（図２参照）等を備え、これらが外装筐体１０内部に収容されている。
【００４１】
光学ユニット３は、図１に示すように、光源装置４、照明光学装置３１、色分離光学装置３２、リレー光学装置３３、電気光学装置３４、およびこれら光学装置４，３１〜３４を内部に収容すると共に、投写レンズ３５を所定位置で支持固定する光学部品用筐体３６を備えて構成されている。
【００４２】
光源装置４は、放電型の発光管５、リフレクター６および固定部材７を備え、光源用筐体４１に収容される。光源装置４は、発光管５から射出された光束をリフレクター６で反射させた後、平行化レンズ３１０に向けて射出する。本実施形態の光源装置４は、超高圧水銀ランプを採用している。なお、光源装置４に関する詳細は後述する。
【００４３】
照明光学装置３１は、平行化レンズ３１０と、第１レンズアレイ３１１と、第２レンズアレイ３１２と、偏光変換素子３１３と、重畳レンズ３１４と、コンデンサーレンズ３１５と、を備えている。なお、平行化レンズ３１０は、本実施形態では、光源装置４の光源用筐体４１に設置されており、光源装置４から射出された光束の射出方向を揃え、照明光軸ＯＡに対して平行化して照明光学装置３１（第１レンズアレイ３１１）に射出する。光軸としての照明光軸ＯＡは、光源装置４から被照明領域側に射出される光束の中心軸である。第１レンズアレイ３１１は、光源装置４から射出された光束を部分光束に分割し、照明光軸ＯＡに沿った方向に射出する。第２レンズアレイ３１２は、第１レンズアレイ３１１から射出された部分光束をそれぞれ重畳レンズ３１４に向けて射出する。
【００４４】
偏光変換素子３１３は、第２レンズアレイ３１２から射出されたランダム偏光光となる各部分光束を液晶パネル３４２で利用可能な１種類の偏光光に略揃える機能を有する。なお、第２レンズアレイ３１２から射出され、偏光変換素子３１３によって略１種類の偏光光に変換された各部分光束は、重畳レンズ３１４によって、液晶パネル３４２の表面に略重畳される。なお、重畳レンズ３１４から射出された光束は、コンデンサーレンズ３１５により平行化されて液晶パネル３４２に重畳される。コンデンサーレンズ３１５は、詳細には、後述する３色の色光毎に設けられている。
【００４５】
色分離光学装置３２は、第１ダイクロイックミラー３２１と、第２ダイクロイックミラー３２２と、反射ミラー３２３と、を備えている。色分離光学装置３２は、照明光学装置３１から射出された光束を、赤色（Ｒ）光、緑色（Ｇ）光、青色（Ｂ）光の３色の色光に分離する。
【００４６】
リレー光学装置３３は、入射側レンズ３３１と、リレーレンズ３３３と、反射ミラー３３２，３３４と、を備えている。リレー光学装置３３は、色分離光学装置３２で分離されたＲ光をＲ光用の液晶パネル３４２Ｒまで導く。なお、本実施形態では、リレー光学装置３３がＲ光を導く構成としているが、これに限定されず、例えば、Ｂ光を導く構成としてもよい。
【００４７】
電気光学装置３４は、３つの入射側偏光板３４１と、光変調装置としての３つの液晶パネル３４２（Ｒ光用の液晶パネルを３４２Ｒ、Ｇ光用の液晶パネルを３４２Ｇ、Ｂ光用の液晶パネルを３４２Ｂとする）と、３つの射出側偏光板３４３と、１つのクロスダイクロイックプリズム３４５と、を備えている。
【００４８】
液晶パネル３４２（３４２Ｒ，３４２Ｇ，３４２Ｂ）は、色分離光学装置３２で色光毎に分離された光束を画像情報に応じて変調する。クロスダイクロイックプリズム３４５は、４つの直角プリズムを貼り合わせた平面視略正方形状を有し、直角プリズム同士を貼り合わせた界面には、２つの誘電体多層膜が形成されている。クロスダイクロイックプリズム３４５は、液晶パネル３４２Ｒ，３４２Ｇ，３４２Ｂで変調された各色光を合成し、投写レンズ３５に射出する。
【００４９】
投写レンズ３５は、複数のレンズを組み合わせた組レンズで構成され、電気光学装置３４で変調され合成された光束をスクリーン等の投写面上に拡大投写する。
【００５０】
図２は、光源装置４の概断面図である。図２は、詳細には、照明光軸ＯＡを通るＸＺ平面で光源装置４を切断した図である。図３は、光源装置４を後方から見た概図である。図３は、詳細には、通気口７３および開閉部７４を含めて固定部材７をＹＺ平面で切断した状態の概断面図として図示している。図２、図３を参照して、光源装置４の構成に関して説明する。
【００５１】
光源装置４は、図２、図３に示すように、発光管５、リフレクター６および固定部材７を備えている。固定部材７は、リフレクター６の首状部６１の後方に、首状部６１を覆うように設置されている。発光管５は、石英ガラス等によって形成され、図２に示すように、中央に設けられた球状の発光部５１、および、この発光部５１の両側から延出する一対の封止部５２Ａ，５２Ｂを有している。
【００５２】
図２に示すように、発光部５１内には、水銀、希ガス、およびハロゲン等が封入された放電空間が形成されており、互いの先端が近接対向する一対の電極５３Ａ，５３Ｂが配置されている。一対の封止部５２Ａ，５２Ｂの内部には、一端部に電極５３Ａ，５３Ｂが形成されるリード線５４Ａ，５４Ｂと、リード線５４Ａ，５４Ｂの他端部と電気的にそれぞれ一端部が接続されるモリブデン製の金属箔５５Ａ，５５Ｂとが配置されている。
【００５３】
また、一対の封止部５２Ａ，５２Ｂの内部には、これらの金属箔５５Ａ，５５Ｂの他端部に、発光管５の外部まで延出するリード線５６Ａ，５６Ｂの一端部がそれぞれ電気的に接続されている。発光部５１は、リード線５６Ａ，５６Ｂに電力が供給されると、近接対向する電極５３Ａ，５３Ｂの間で放電が発生して光束を射出する。
【００５４】
リフレクター６は、耐熱ガラス製で、図２に示すように、筒状の首状部６１と、回転楕円面を有する反射部６２とを有している。首状部６１には、一方の封止部５２Ａが挿通される挿通孔６１１が設けられている。発光管５は、封止部５２Ａの先端を、この挿通孔６１１から突出させ、後述する固定部材７の固定孔７２１に挿通させた後、接着剤１１で固定部材７に固定される。これにより、発光管５（発光部５１）が反射部６２の内面側に配置される。反射部６２は、内面に金属薄膜が蒸着された反射面６２１を有し、発光部５１から射出された光束を反射する。
【００５５】
固定部材７は、照明光軸ＯＡに対して略平行方向に延びる筒状の側面部７１と、照明光軸ＯＡに対して略直交し、光束の射出方向とは反対側に配置される端面部７２とを有して構成される。詳細には、側面部７１は、図３に示すように、八角形状を有する筒状に形成されている。
【００５６】
固定部材７は、端面部７２の中央に発光管５の封止部５２Ａを固定する固定孔７２１を有している。なお、封止部５２Ａは、接着剤１１（図２参照）を介して固定孔７２１に固定される。また、固定部材７の側面部７１の先端部７１１（図２参照）は、リフレクター６の背面６２２に接着剤１１を介して固定される。これにより、固定部材７は、発光管５を保持して、リフレクター６に固定される。
【００５７】
図３に示すように、固定部材７の側面部７１の上下方向（±Ｚ方向）および左右（±Ｙ方向）方向には通気口７３（７３１，７３２，７３３，７３４）が形成されている。言い換えると、４つの通気口７３は、照明光軸ＯＡに対して対称に設置されている。この通気口７３により、リフレクター６の内面側と外面側が連通される。
【００５８】
固定部材７の側面部７１には、通気口７３に対応して開閉動作を行う開閉部７４が設置されている。開閉部７４は、通気口７３の外周となる側面部７１の外面にそれぞれ設置される支軸７５（７５１，７５２，７５３，７５４）を備えている。また、開閉部７４は、支軸７５に回動可能に支持される開閉部材としての開閉蓋７６（７６１，７６２，７６３，７６４）をそれぞれ備えている。この構成により、支軸７５は、固定部材７に対して開閉蓋７６を回動可能に支持することにより、開閉蓋７６は、通気口７３を開閉する。
【００５９】
詳細には、開閉蓋７６は、開閉蓋７６自身の自重により、支軸７５を中心に回動して開閉動作を行う。従って、図３に示すように、本実施形態では、下側の通気口７３２と右側の通気口７３４が開口され、上側の通気口７３１と左側の通気口７３３が閉塞される。
【００６０】
図２、図３を参照して、本実施形態の光源装置４を冷却する冷却機構２の構成に関して簡略に説明する。
本実施形態の光源装置４は、リフレクター６の光束射出側となる前方の開口端部６２３を光源用筐体４１に固定される。また、光源用筐体４１には、冷却機構２として、図示省略する冷却ファンからの冷却風Ａを流動するダクト４１１が設置されている。また、冷却機構２として、開口端部６２３近傍の上下側（±Ｚ側）には、ダクト４１１を流動した冷却風Ａがリフレクター６内に流入する流入口４１２が設置され、開口端部６２３の左右側（±Ｙ側）には、リフレクター６内を流動した冷却風Ａを排気する排気口４１３（図３参照）が設置されている。
【００６１】
なお、光源用筐体４１には、冷却ファンからの冷却風Ａをダクト４１１内に流動させる際に、冷却風Ａを上側のダクト４１１に流動させ、下側のダクト４１１には流動させないように流動方向を切り替える切替え板（図示省略）が設置されている。切替え板は、重力に従って動作する構成（図示省略）となっている。この切替え板により、光源装置４の設置姿勢が変化（机上設置や天吊り設置）した場合でも、冷却風Ａは、常に光源装置４の上側となる流入口４１２からリフレクター６内部に流入する。
【００６２】
次に、図２、図３を参照して、冷却風Ａの流動に関して説明する。
上方向の流入口４１２からリフレクター６内に流入した冷却風Ａは、発光部５１に向けて吹き付けるように流入する。そして、冷却風Ａは、発光部５１の外面（上部、横部、下部、前部、後部等）を流動して発熱した発光部５１の熱を奪い、その後、固定部材７内に流動する冷却風Ａ１と、発光部５１の外面を流動して発熱した発光部５１の熱を奪い、その後、光源用筐体４１に設置した左右の排気口４１３に流動する冷却風Ａ２とに大略分かれて流動する。
【００６３】
冷却風Ａ１は、発光管５（主に発光部５１）の外面を流動して冷却した後、挿通孔６１１を流動して、固定部材７に形成され、開閉部７４により開口されている通気口７３２，７３４から固定部材７の外面側（リフレクター６の外面側）に排気される。なお、冷却風Ａ１は、２つの通気口７３２，７３４を介し、冷却風Ａ１１，Ａ１２にそれぞれ分岐されて排気される。
【００６４】
冷却風Ａ２は、発光管５（主に発光部５１）の外面を流動して冷却した後、リフレクター６の反射面６２１等を流動し、光源用筐体４１に設置される左右の排気口４１３から光源用筐体４１外に排気される。なお、冷却風Ａ２は、左右の排気口４１３を介し、冷却風Ａ２１，Ａ２２にそれぞれ分岐されて排気される。
【００６５】
なお、上記では、プロジェクター１を机上設置した場合を前提に説明したが、プロジェクター１を反転（１８０度の回転）して天吊り設置した場合にも対応している。プロジェクター１を天吊り設置した場合の光源装置４の動作（開閉部７４の動作）と冷却に関して簡略に説明する。
【００６６】
プロジェクター１を反転することにより、収納されている光源装置４も反転（１８０度の回転）する。光源装置４は、設置姿勢の反転に対応して、開閉部７４により、机上設置された場合に閉塞されていた通気口７３１と通気口７３３が開口され、開口されていた通気口７３２と通気口７３４が閉塞される。
【００６７】
そして、冷却風Ａは、光源装置４が反転されたことにより、机上設置された場合に下側となっていたダクト４１１が上側に位置する。そして、切替え板が動作することにより、冷却風Ａは上側に位置したダクト４１１内に流動し、流入口４１２からリフレクター６内部に流入する。また、リフレクター６内部に流入した冷却風Ａは、反転された発光部５１（発光管５）の外面を流動し、一部は通気口７３１，７３３を介して排気され、残りは、左右の排気口４１３を介して排気される。
【００６８】
上述した実施形態によれば、以下の効果が得られる。
本実施形態の光源装置４は、発光管５、リフレクター６、固定部材７、開閉部７４（支軸７５、開閉蓋７６）を備えて構成され、開閉部７４が固定部材７に設置される通気口７３を開閉させる。この構成により、光源装置４は、開閉部７４で通気口７３の開閉動作を行うことにより、発光管５を冷却するためにリフレクター６の内面側を流動する冷却風Ａに対し、通気口７３（通気口７３２，７３４）を開口して冷却風Ａをリフレクター６の外面側に排気する制御を行い、また、通気口７３（通気口７３１，７３３）を閉塞して冷却風Ａを排気しない制御を行うことができる。これにより、光源装置４は、リフレクター６の内面側を流動する冷却風Ａの制御のし易さを向上させることができる。そのため、発光部５１の上部と下部の温度の適正化が図れると共に、発光部５１全体をバランスの取れた温度分布とさせることが可能となる。
【００６９】
本実施形態の光源装置４において、開閉部７４が、開閉蓋７６の自重により支軸７５を中心に固定部材７に対して回動して通気口７３を開口または閉塞する。この構成により、開閉部７４をシンプルな構成で実現することができる。
【００７０】
本実施形態の光源装置４は、開閉部７４が固定部材７の側面部７１に設置された４つの通気口７３１，７３２，７３３，７３４に対して、それぞれ設けられるため、設置姿勢が変化しても、選択的に通気口７３を開口および閉塞させることができる。従って、光源装置４の設置姿勢が反転しても発光部５１の上部と下部の温度の適正化が図れると共に、発光部５１全体をバランスの取れた温度分布とさせることが可能となる。
【００７１】
本実施形態の光源装置４は、４つの通気口７３１，７３２，７３３，７３４が照明光軸ＯＡに対して略対称に設置されることにより、光源装置４の設置姿勢が反転しても、発光部５１の上部と下部の温度や、発光部５１の温度分布を、略同様の温度や温度分布とさせることができる。これにより、光源装置４の姿勢差（机上設置、天吊り設置）による温度や温度分布のバラツキを抑制することができ、安定した冷却を行うことができる。
【００７２】
本実施形態の光源装置４は、リフレクター６の内面側を流動する冷却風Ａの制御のし易さを向上させ、発光部５１の上部と下部の温度の適正化が図れると共に、発光部５１全体をバランスの取れた温度分布とさせることが可能で、設置姿勢の反転にも対応できる光源装置４を備えるため、長寿命化を図ることが可能となる。
【００７３】
本実施形態のプロジェクター１は、長寿命化を図ることが可能な光源装置４を備えるため、投写画像の輝度等の光学品質を長期間維持することができる。また、光源装置４の交換時期を延ばすことができるため、プロジェクター１の利便性を向上させることができる。
【００７４】
本実施形態のプロジェクター１は、冷却機構２（ダクト４１１、流入口４１２、排気口４１３、切替え板等）を備えることにより、設置姿勢が反転しても、上側に位置するダクト４１１からリフレクター６内面側に冷却風Ａを流入させて発光管５を冷却する。また、開閉部７４の開閉動作により通気口７３を選択的に開閉することにより、発光管５を冷却して温まった冷却風Ａを、開口した通気口７３からリフレクター６の外面側に排気することができる。このように、冷却機構２と光源装置４とで、発光管５を冷却することにより、図８に示すように、従来は補助的に使用されていた固定部材２３０の通気口２３１に比較して、本実施形態では、主体的に使用して適正な温度制御が行えるプロジェクター１を実現することができる。
（第２実施形態）
【００７５】
図４は、第２実施形態に係る光源装置４Ａを示す概図であり、図４（ａ）は、固定部材８の斜視図であり、図４（ｂ）は、光源装置４Ａの概断面図である。なお、図４（ｂ）は、照明光軸ＯＡを通り、４５度傾く平面で固定部材８（固定部８１１，８１３）周辺を切断した図である。図５は、光源装置４Ａの概断面図であり、図５（ａ）は、照明光軸ＯＡを通るＸＹ平面で固定部材８周辺を切断した図であり、図５（ｂ）は、照明光軸ＯＡを通るＸＺ平面で固定部材８周辺を切断した図である。図６は、光源装置４Ａを後方から見た概図である。なお、図６は、説明の便宜上、回動部材８６を断面図で図示している。図４、図５、図６を参照して、光源装置４Ａの構成および動作を説明する。
【００７６】
本実施形態の光源装置４Ａは、第１実施形態の光源装置４と比較して、固定部材８の構成が第１実施形態の固定部材７の構成と異なっており、その他の構成は第１実施形態と同様となる。なお、同様の構成には第１実施形態と同様の符号を付記している。
【００７７】
本実施形態の固定部材８は、図４〜図６に示すように、照明光軸ＯＡに対して略直交するベース部８２を有して構成されている。また固定部材８は、ベース部８２の側周面８２ｂに４つの固定部８１を有して構成されている。また、固定部材８は、後述する開閉部８４を有して構成されている。
【００７８】
ベース部８２は、第１実施形態での端面部７２に概ね対応しており、略円板状に形成され、中央に発光管５の封止部５２Ａを固定する固定孔８２１を有している。なお、封止部５２Ａは接着剤１１を介して固定孔８２１に固定される。また、ベース部８２は、内面８２ａに、側周面８２ｂから内側に入った部位にリング状に突出して形成される支持部８５を有している。支持部８５は、後述する回動部材８６と共に開閉部８４を構成する。
【００７９】
固定部８１は、リフレクター６の背面６２２に接着剤１１を介して固定される。これにより、固定部材８は、発光管５を保持して、リフレクター６に固定される。固定部８１は、リフレクター６の端面６１２と固定部材８のベース部８２との距離を確保する部材であり、所定の距離となるように設置されている。固定部８１により、端面６１２とベース部８２との距離を確保することで、照明光軸ＯＡに対して略平行方向に延びる側面部が構成されるとも言い換えることができる。固定部８１は、後述する通気口８３の照明光軸ＯＡに対して平行方向の長さも決める部材である。
【００８０】
固定部８１は、図４に示すように、爪部８１ａと受部８１ｂとを備えて構成される。受部８１ｂは、リフレクター６の首状部６１の端面６１２を受ける部分である。また、爪部８１ａは、受部８１ｂの外側で、リフレクター６の背面６２２に向って突出して形成されている。
【００８１】
固定部８１は、図６に示すように、後（−Ｘ方向）から見た場合、照明光軸ＯＡを通るＸＹ平面を±４５度傾けた両方向に突出するように４つ形成されている。なお、４つの固定部８１を、後（−Ｘ方向）から見た場合、右上方向の固定部８１を固定部８１１、この固定部８１１から時計回りに固定部８１２，８１３，８１４とする。
【００８２】
本実施形態の通気口８３は、固定部材８をリフレクター６に固定することにより形成される。詳細には、通気口８３は、固定部材８をリフレクター６に固定した際、リフレクター６の端面６１２と、固定部材８の支持部８５との隙間により形成される。また、この通気口８３により、リフレクター６の内面側と外面側が連通される。
【００８３】
本実施形態では、照明光軸ＯＡに対して略平行方向に延びる形態の側面部（第１実施形態での側面部７１に対応）が明確には構成されていないが、側面部全体が通気口８３として構成されていると言い換えることができる。その場合、通気口８３は、側面部に設置されているということができる。
【００８４】
回動部材８６は、支持部８５に支持されて回動することにより、通気口８３を選択的に開口および閉塞する部材である。回動部材８６は、通気口８３に対応して略筒状に形成されている。回動部材８６は、支持部８５の外周に沿って設置され、支持部８５に回動可能に支持される。また、回動部材８６は、図５（ｂ）、図６に示すように、錘８７を有しており、光源装置４Ａの設置姿勢の変化に対応して、錘８７が常に下側（−Ｚ方向）となるように回動部材８６が回動する。
【００８５】
また、回動部材８６の内径は、図４（ｂ）に示すように、リフレクター６の挿通孔６１１の径と略一致している。そして、回動部材８６を支持部８５に組み込んだ固定部材８を、リフレクター６に固定した場合、回動部材８６は、固定部材８を固定することにより隙間として形成される通気口８３を選択的に塞ぐ状態となる。
【００８６】
回動部材８６には、所定の位置に２つの開口部８６１，８６２が形成されている。錘８７により回動部材８６が回動した場合、図４（ａ）、図６に示すように、一方の開口部８６１は固定部８１３と固定部８１４との間に位置し、他方の開口部８６２は固定部８１１と固定部８１２との間に位置する。開口部８６１，８６２は、照明光軸ＯＡに対して略対称に形成されている。詳細には、開口部８６１，８６２は、照明光軸ＯＡを通るＸＹ平面を基準に対称に形成されている。
【００８７】
なお、固定部材８は、上述する回動部材８６と支持部８５により、通気口８３に対して開閉動作を行う開閉部８４を構成している。開閉部８４は、回動部材８６が支持部８５に支持されて回動することにより、回動部材８６の開口部８６１，８６２と、通気口８３との重なる領域を開口する。本実施形態では、通気口８３は、固定部材８の全周にわたって形成され、回動部材８６の開口部８６１，８６２と重なる通気口８３の領域が開口され、回動部材８６のそれ以外の領域（開口部８６１，８６２の形成されない領域）と重なる通気口８３の領域が閉塞される。
【００８８】
次に、図４（ｂ）、図５（ａ）、図６を参照して、冷却風Ｂの流動に関して説明する。
本実施形態の冷却機構２は、第１実施形態の冷却機構２と同様に構成されている。上方向の流入口４１２からリフレクター６内に流入した冷却風Ｂは、発光部５１に向けて吹き付けるように流入する。そして、冷却風Ｂは、発光部５１の外面（上部、横部、下部、前部、後部等）を流動して発熱した発光部５１の熱を奪い、その後、固定部材８内に流動する冷却風Ｂ１と、発光部５１の外面を流動して発熱した発光部５１の熱を奪い、その後、光源用筐体４１に設置した左右の排気口４１３に流動する冷却風Ｂ２とに大略分かれて流動する。
【００８９】
冷却風Ｂ１は、発光管５（主に発光部５１）の外面を流動して冷却した後、挿通孔６１１を流動して、開閉部８４により開口されている回動部材８６の開口部８６１，８６２を介して通気口８３から固定部材８の外面側（リフレクター６の外面側）に排気される。なお、冷却風Ｂ１は、２つの開口部８６１，８６２を介し、冷却風Ｂ１１，Ｂ１２にそれぞれ分岐されて左右方向に排気される。
【００９０】
冷却風Ｂ２は、第１実施形態の冷却風Ａ２と同様に、発光管５（主に発光部５１）の外面を流動して冷却した後、リフレクター６の反射面６２１等を流動し、光源用筐体４１に設置される左右の排気口４１３から光源用筐体４１外に排気される。なお、冷却風Ｂ２は、左右の排気口４１３を介し、冷却風Ｂ２１，Ｂ２２にそれぞれ分岐されて排気される。
【００９１】
なお、上記では、第１実施形態と同様に、プロジェクター１を机上設置した場合を前提に説明したが、プロジェクター１を反転（１８０度の回転）して天吊り設置した場合にも対応している。プロジェクター１を天吊り設置した場合の光源装置４Ａの動作（開閉部８４の動作）と冷却に関して簡略に説明する。
【００９２】
プロジェクター１を反転することにより、収納されている光源装置４Ａも反転（１８０度の回転）する。これにより、光源装置４Ａは、開閉部８４により、錘８７が下側（−Ｚ方向）となるように回動部材８６が支持部８５に支持されて回動する。
【００９３】
この回動により、回動部材８６の一方の開口部８６１が固定部８１１と固定部８１２の間に位置し、他方の開口部８６２が固定部８１３と固定部８１４の間に位置する状態となる。なお、開口部８６１，８６２は、照明光軸ＯＡを通るＸＹ平面を基準に対称に形成されているため、光源装置４Ａが反転しても、反転する前と同じ位置が開口される。
【００９４】
なお、冷却風Ｂは、光源装置４Ａが反転されたことにより、机上設置された場合に下側となっていたダクト４１１が上側に位置する。そして、切替え板が動作することにより、冷却風Ｂは上側に位置したダクト４１１内に流動し、流入口４１２からリフレクター６内部に流入する。また、リフレクター６内部に流入した冷却風Ｂは、反転された発光部５１（発光管５）の外面を流動し、一部は開口部８６１，８６２を介して通気口８３から排気され、残りは、左右の排気口４１３を介して排気される。
【００９５】
上述した実施形態によれば、以下の効果が得られる。
本実施形態の光源装置４Ａは、第１実施形態と同様の発光管５、リフレクター６を備えて構成され、また、開閉部８４は回動部材８６と支持部８５とを備えている。また、回動部材８６は、所定の位置に開口部８６１，８６２が形成され、回動部材８６が支持部８５に支持されて固定部材８に対して回動する。この動作により、回動部材８６の開口部８６１，８６２と通気口８３とが重なる領域は、リフレクター６の内面側と外面側とが連通するように開口され、開口部８６１，８６２以外の領域では開口されない。この構成により、光源装置４Ａは、リフレクター６の内面側を流動する冷却風Ｂの制御のし易さを向上させることができる。そのため、発光部５１の上部と下部の温度の適正化が図れると共に、発光部５１全体をバランスの取れた温度分布とさせることが可能となる。また、光源装置４Ａの設置姿勢が反転しても、姿勢差による温度や温度分布のバラツキを抑制することができ、安定した冷却を行うことができる。
【００９６】
本実施形態の光源装置４Ａは、回動部材８６が固定部材８の通気口８３に対応して略筒状に形成されることにより、回動部材８６をシンプルな構成で実現できると共に、通気口８３を容易に開閉することができる。
【００９７】
本実施形態の光源装置４Ａは、回動部材８６に錘８７を有している。そのため、回動部材８６は、支持部８５を中心に回動し易くなる。従って、光源装置４Ａの設置姿勢が反転しても開閉部８４の開閉動作をスムーズに行わせることができる。
【００９８】
本実施形態の光源装置４Ａは、２つの開口部８６１，８６２が照明光軸ＯＡに対して略対称に設置されることにより、開閉部８４による通気口８３の開閉動作を行うことで、光源装置４Ａの設置姿勢が反転しても、発光部５１の上部と下部の温度や、発光部５１の温度分布を、略同様の温度や温度分布とさせることができる。これにより、光源装置４Ａの姿勢差による温度や温度分布のバラツキを抑制することができ、安定した冷却を行うことができる。
【００９９】
本実施形態の光源装置４Ａは、固定部材８の側面部全体が通気口８３として構成されていることにより、回動部材８６の開口部（本実施形態では開口部８６１，８６２）のみにより、冷却風Ｂの排気位置および排気量を調整することができるため、通気口の設置位置や大きさの自由度を向上させることができ、冷却風Ｂの制御のし易さを向上させることができる。
【０１００】
本実施形態の光源装置４Ａは、第１実施形態の光源装置４と同様に、長寿命化を図ることが可能となる。
【０１０１】
本実施形態の光源装置４Ａを備えるプロジェクター１によれば、第１実施形態の光源装置４を備えたプロジェクター１と同様に、投写画像の輝度等の光学品質を長期間維持することができる。また、光源装置４Ａの交換時期を延ばすことができるため、プロジェクター１の利便性を向上させることができる。
【０１０２】
本実施形態の光源装置４Ａを備えるプロジェクター１によれば、第１実施形態の光源装置４を備えたプロジェクター１と同様に、冷却機構２を備えることにより、設置姿勢が反転しても、上側に位置するダクト４１１からリフレクター６内面側に冷却風Ｂを流入させて発光管５を冷却する。また、開閉部８４の開閉動作により通気口８３を選択的に開閉することにより、発光管５を冷却して温まった冷却風Ｂを、開口した通気口８３（開口部８６１，８６２）からリフレクター６の外面側に排気することができる。このように、冷却機構２と光源装置４Ａとで、発光管５を冷却することにより、従来に比較して通気口８３を主体的に使用して適正な温度制御が行えるプロジェクター１を実現することができる。
（第３実施形態）
【０１０３】
図７は、第３実施形態に係る光源装置４Ｂを示す概図であり、図７（ａ）は、光源装置４Ｂの概断面図であり、図７（ｂ）は、光源装置４Ｂを後方から見た概図である。なお、図７（ａ）は、照明光軸ＯＡを通るＸＺ平面で固定部材９周辺を切断した図である。また、図７（ｂ）は、固定部材９を拡大した図である。図７を参照して、光源装置４Ｂの構成および動作を説明する。
【０１０４】
本実施形態の光源装置４Ｂは、第１実施形態の光源装置４と比較して、固定部材９の構成が第１実施形態の固定部材７の構成と異なっており、その他の構成は第１実施形態と同様となる。なお、同様の構成には第１実施形態と同様の符号を付記している。
【０１０５】
本実施形態の固定部材９は、照明光軸ＯＡに対して略平行方向に延びる筒状の側面部９１と、照明光軸ＯＡに対して略直交し、光束の射出方向とは反対側に配置される端面部９２とを有して構成される。そして、端面部９２は略円板状に形成され、側面部９１は円筒状に形成されている。また、固定部材９は、開閉部９４を有して構成されている。開閉部９４は、後述する回動部材９６と支持部９５とを備え、後述する通気口９３を選択的に開口および閉塞する開閉動作を行う。
【０１０６】
固定部材９は、図７（ａ）に示すように、発光管５の封止部５２Ａを固定する固定孔９２１を端面部９２の中央に有している。封止部５２Ａは、接着剤１１を介して固定孔９２１に固定される。また、固定部材９の側面部９１の先端部９１１は、リフレクター６の背面６２２に接着剤１１を介して固定される。これにより、固定部材９は、発光管５を保持して、リフレクター６に固定される。
【０１０７】
端面部９２は、固定孔９２１の外側で、内面９２ａにリング状に突出して形成される支持部９５を有している。なお、支持部９５は、後述する回動部材９６と共に開閉部９４を構成している。
【０１０８】
端面部９２は、支持部９５の外側で、照明光軸ＯＡを中心として同心円上に中心を有して形成される通気口９３を有している。通気口９３は、照明光軸ＯＡを中心として上方向（＋Ｚ方向）に通気口９３１が形成され、この通気口９３１から時計回りに、４５度間隔で、順に通気口９３２，９３３，９３４，９３５，９３６，９３７，９３８が形成されている。通気口９３は、本実施形態では、合計８つ形成されている。また、通気口９３（通気口９３１〜９３８）は、照明光軸ＯＡに対称に形成されている。この８つの通気口９３により、リフレクター６の内面側と外面側が連通される。
【０１０９】
開閉部９４を構成する回動部材９６は、支持部９５に支持されて回動することにより、通気口９３を選択的に開口および閉塞する部材である。回動部材９６は、通気口９３に対応して略板状に形成されている。詳細には、回動部材９６は、平面視で、真ん中が抜けた円板状に形成されている。
【０１１０】
回動部材９６は、支持部９５の外周に沿って設置され、支持部９５に回動可能に支持される。また、回動部材９６は、図７に示すように、錘９７を有しており、光源装置４Ｂの設置姿勢の変化に対応して、錘９７が常に下側（−Ｚ方向）となるように回動部材９６が回動する。
【０１１１】
回動部材９６は、本実施形態では、照明光軸ＯＡを中心として同心円上に中心を有して形成される４つの開口部９６１〜９６４を有している。図７（ｂ）に示すように、錘９７により回動部材９６が支持部９５に支持されて回動した場合、照明光軸ＯＡを中心として上方向（＋Ｚ方向）に開口部９６１が形成され、この開口部９６１から時計回りに、９０度間隔で、順に開口部９６２，９６３，９６４が形成されている。また、開口部９６１〜９６４は、照明光軸ＯＡに対称に形成されている。
【０１１２】
照明光軸ＯＡから開口部９６１〜９６４のそれぞれの中心までの距離は、照明光軸ＯＡから通気口９３のそれぞれの中心までの距離と同じに設定されている。これにより、回動部材９６を支持部９５に組み込んだ固定部材９を、リフレクター６に固定した場合、回動部材９６は、通気口９３を選択的に塞ぐ状態となる。
【０１１３】
そして、図７に示すように、錘９７により回動部材９６が回動した場合に、本実施形態では、開口部９６１と通気口９３１とが重なり、開口部９６２と通気口９３３とが重なり、開口部９６３と通気口９３５とが重なり、開口部９６４と通気口９３７とが重なる状態となる。なお、開口部９６１〜９６４のそれぞれの孔径は、通気口９３１〜９３８のそれぞれの孔径より大きく形成されている。
【０１１４】
開閉部９４は、通気口９３に対する上述した回動部材９６の動作により、開閉部９４としての開閉動作を行う。開閉部９４は、開口部９６１〜９６４と通気口９３１〜９３８とが重なる領域を開口する。そのため、開閉部９４は、本実施形態では、通気口９３１，９３３，９３５，９３７の４つを開口する。また、開閉部９４は、回動部材９６の開口部９６１〜９６４以外の開口されない領域と重なる通気口９３を閉塞する。そのため、開閉部９４は、本実施形態では、通気口９３２，９３４，９３６，９３８を閉塞する。
【０１１５】
次に、図７を参照して、冷却風Ｃの流動に関して説明する。
本実施形態の図示省略する冷却機構は第１実施形態、第２実施形態の冷却機構２と同様に構成されている。上方向の流入口４１２（図６参照）からリフレクター６内に流入した冷却風Ｃは、発光部５１（図６参照）に向けて吹き付けるように流入する。そして、冷却風Ｃは、発光部５１の外面（上部、横部、下部、前部、後部等）を流動して発熱した発光部５１の熱を奪い、その後、固定部材９内に流動する冷却風Ｃ１と、発光部５１の外面を流動して発熱した発光部５１の熱を奪い、その後、光源用筐体４１（図６参照）に設置した左右の排気口４１３（図６参照）に流動する冷却風Ｃ２（図示省略）とに大略分かれて流動する。
【０１１６】
冷却風Ｃ１は、発光管５（主に発光部５１）の外面を流動して冷却した後、挿通孔６１１を流動して、開閉部９４により開口されている通気口９３１，９３３，９３５，９３７を介して固定部材９の外面側（リフレクター６の外面側）に排気される。なお、冷却風Ｃ１は、４つの通気口９３１，９３３，９３５，９３７を介し、冷却風Ｃ１１，Ｃ１２，Ｃ１３，Ｃ１４にそれぞれ分岐されて上下左右方向に排気される。
【０１１７】
冷却風Ｃ２は、第１実施形態の冷却風Ａ２と同様に、発光管５（主に発光部５１）の外面を流動して冷却した後、リフレクター６の反射面６２１等を流動し、光源用筐体４１に設置される左右の排気口４１３（図６参照）から光源用筐体４１外に排気される。なお、冷却風Ｃ２は、左右の排気口４１３を介して分岐されて排気される。
【０１１８】
なお、上記では、第１実施形態と同様に、プロジェクター１を机上設置した場合を前提に説明したが、プロジェクター１を反転（１８０度の回転）して天吊り設置した場合にも対応している。プロジェクター１を天吊り設置した場合の光源装置４Ｂの動作（開閉部９４の動作）と冷却に関して簡略に説明する。
【０１１９】
プロジェクター１を反転することにより、収納されている光源装置４Ｂも反転（１８０度の回転）する。光源装置４Ｂは、設置姿勢の反転に対応して、開閉部９４により、錘９７が下側（−Ｚ方向）となるように回動部材９６が支持部９５に支持されて回動する。
【０１２０】
この回動により、開口部９６１が通気口９３５と重なり、開口部９６２が通気口９３７と重なり、開口部９６３が通気口９３１と重なり、開口部９６４が通気口９３３と重なる状態となる。これにより、通気口９３１，９３３，９３５，９３７が開口され、通気口９３２，９３４，９３６，９３８が閉塞される。なお、本実施形態では、光源装置４Ｂが反転しても、結果的に、反転する前と同じ通気口９３１，９３３，９３５，９３７が開口され、同じ通気口９３２，９３４，９３６，９３８が閉塞される状態となる。
【０１２１】
なお、冷却風Ｃは、光源装置４Ｂが反転されたことにより、机上設置された場合に下側となっていたダクト４１１が上側に位置する。そして、切替え板が動作することにより、冷却風Ｃは上側に位置したダクト４１１内に流動し、流入口４１２からリフレクター６内部に流入する。また、リフレクター６内部に流入した冷却風Ｃは、反転された発光部５１（発光管５）の外面を流動し、一部は通気口９３１，９３３，９３５，９３７を介して排気され、残りは、左右の排気口４１３を介して排気される。
【０１２２】
上述した実施形態によれば、以下の効果が得られる。
本実施形態の光源装置４Ｂは、第１実施形態と同様の発光管５、リフレクター６を備えて構成され、また、開閉部９４は回動部材９６と支持部９５とを備えている。また、回動部材９６は、所定の位置に開口部９６１，９６２，９６３，９６４が形成され、回動部材９６が支持部９５に支持されて固定部材９に対して回動する。この動作により、回動部材９６の開口部９６１，９６２，９６３，９６４と通気口９３とが重なる領域は、リフレクター６の内面側と外面側とが連通するように開口され、開口部９６１，９６２，９６３，９６４以外の領域では開口されない。この構成により、光源装置４Ｂは、リフレクター６の内面側を流動する冷却風Ｃの制御のし易さを向上させることができる。そのため、発光部５１の上部と下部の温度の適正化が図れると共に、発光部５１全体をバランスの取れた温度分布とさせることが可能となる。また、光源装置４Ｂの設置姿勢が反転しても、姿勢差による温度や温度分布のバラツキを抑制することができ、安定した冷却を行うことができる。
【０１２３】
本実施形態の光源装置４Ｂは、回動部材９６が固定部材９の通気口９３に対応して略板状に形成されることにより、回動部材９６をシンプルな構成で実現できると共に、通気口９３を容易に開閉することができる。
【０１２４】
本実施形態の光源装置４Ｂは、回動部材９６に錘９７を有している。そのため、回動部材９６は、支持部９５を中心に回動し易くなる。従って、光源装置４Ｂの設置姿勢が反転しても開閉部９４の開閉動作をスムーズに行わせることができる。
【０１２５】
本実施形態の光源装置４Ｂは、通気口９３が照明光軸ＯＡに対して略対称に設置され、開口部９６１〜９６４が照明光軸ＯＡに対して略対称に設置されることにより、開閉部９４による通気口９３の開閉動作を行うことで、光源装置４Ｂの設置姿勢が反転しても、発光部５１の上部と下部の温度や、発光部５１の温度分布を、略同様の温度や温度分布とさせることができる。これにより、光源装置４Ｂの姿勢差による温度や温度分布のバラツキを抑制することができ、安定した冷却を行うことができる。
【０１２６】
本実施形態の光源装置４Ｂは、第１実施形態の光源装置４と同様に、長寿命化を図ることが可能となる。
【０１２７】
本実施形態の光源装置４Ｂを備えるプロジェクター１によれば、第１実施形態の光源装置４を備えたプロジェクター１と同様に、投写画像の輝度等の光学品質を長期間維持することができる。また、光源装置４Ｂの交換時期を延ばすことができるため、プロジェクター１の利便性を向上させることができる。
【０１２８】
本実施形態の光源装置４Ｂを備えるプロジェクター１によれば、第１実施形態の光源装置４を備えたプロジェクター１と同様に、冷却機構２を備えることにより、設置姿勢が反転しても、上側に位置するダクト４１１からリフレクター６内面側に冷却風Ｃを流入させて発光管５を冷却する。また、開閉部９４の開閉動作により通気口９３を選択的に開閉することにより、発光管５を冷却して温まった冷却風Ｃを、開口した通気口９３（通気口９３１，９３３，９３５，９３７）からリフレクター６の外面側に排気することができる。このように、冷却機構２と光源装置４Ｂとで、発光管５を冷却することにより、従来に比較して通気口９３を主体的に使用して適正な温度制御が行えるプロジェクター１を実現することができる。
【０１２９】
なお、上述した実施形態に限定されず、その要旨を逸脱しない範囲において種々の変更や改良等を加えて実施することが可能である。変形例を以下に述べる。
【０１３０】
前記第１実施形態の光源装置４において、固定部材７の通気口７３は、側面部７１の上下方向（±Ｚ方向）および左右（±Ｙ方向）方向に形成されている。しかし、これに限られず、他の方向にも通気口を形成し、この通気口に対応して開閉部を設置してもよい。これにより、光源装置４の設置姿勢が、反転以外の設置姿勢となった場合にも、冷却風の制御のし易さを向上させることができる。例えば、通気口を±４５度方向にも形成し、この通気口に対応して開閉部を設置することにより、光源装置４の設置姿勢が反転のみでなく、横置き（９０度の回転）の場合にも対応させることができる。
【０１３１】
前記第２実施形態の光源装置４Ａにおいて、回動部材８６には、錘８７が設置されているが、錘８７は設置されていなくてもよい。その場合には、回動部材８６に形成する開口部８６１，８６２の位置を移動させて設置することによる重心の偏り（重心位置のズレ）を利用して回動させることができる。同様に、前記第３実施形態の光源装置４Ｂにおける回動部材９６にも錘９７が設置されていなくてもよい。この場合にも、回動部材９６に形成する開口部９６１〜９６４の位置を移動させて設置することによる重心の偏りを利用して回動させることができる。
【０１３２】
前記第２実施形態の光源装置４Ａにおいて、光源装置４Ａの設置姿勢として、机上設置の場合と、設置姿勢を反転（１８０度回転）させた天吊り設置の場合を説明しているが、設置姿勢が横置き（９０度回転）設置の場合や、その他の設置姿勢の場合にも対応させることができ、冷却風の制御のし易さを向上させることができる。
【０１３３】
前記第２実施形態の光源装置４Ａにおいて、固定部材８（回動部材８６）の開口部８６１は、固定部８１３と固定部８１４との間に位置し、開口部８６２は固定部８１１と固定部８１２との間に位置する。しかし、開口部は大きさを含めて、任意の位置に設置することができる。また、開口部の個数も２つには限定されず、１つでも、３つ以上であってもよい。これにより、光源装置４Ａの設置姿勢が、反転以外の設置姿勢となった場合にも、冷却風の制御のし易さを向上させることができる。
【０１３４】
前記第２実施形態の光源装置４Ａにおいて、固定部材８（回動部材８６）の通気口８３は、リフレクター６の端面６１２と、固定部材８の支持部８５との隙間により形成されている。また、通気口８３は、全周にわたって形成されている。しかし、通気口は、第３実施形態の側面部９１と略同様に側面部を形成し、その側面部に１つまたは複数形成する構成としてもよい。この構成により、回動部材の開口部との重なりにより、選択的に通気口を開口させることでよい。
【０１３５】
前記第３実施形態の光源装置４Ｂにおいて、固定部材９（回動部材９６）の開口部９６１〜９６４は、錘９７により回動部材９６が支持部９５に支持されて回動した場合、照明光軸ＯＡを中心として上方向（＋Ｚ方向）に開口部９６１が形成され、この開口部９６１から時計回りに、９０度間隔で、順に開口部９６２，９６３，９６４が形成されている。しかし、これに限られず、開口部は大きさを含めて、任意の位置に設置することができる。また、開口部の個数も４つには限定されない。これにより、光源装置４Ｂの設置姿勢が、反転以外の設置姿勢となった場合にも、冷却風の制御のし易さを向上させることができる。例えば、照明光軸ＯＡを中心として±４５度方向にそれぞれ開口部が形成されていてもよい。この場合、光源装置４Ｂの設置姿勢が反転のみでなく、横置き（９０度の回転）の場合にも対応させることができる。
【０１３６】
前記第３実施形態の光源装置４Ｂにおいて、固定部材９の通気口９３１〜９３８は、照明光軸ＯＡを中心として上方向（＋Ｚ方向）に通気口９３１が形成され、この通気口９３１から時計回りに、４５度間隔で、順に通気口９３が形成されている。しかし、これに限定されず、通気口は大きさを含めて、任意の位置に設置することができる。また、通気口の個数も８つには限定されない。
【０１３７】
前記第１実施形態の通気口７３は、照明光軸ＯＡに対して対称に設置されているが、対称でなくてもよい。これは、前記第２実施形態の開口部８６１，８６２、前記第３実施形態の通気口９３および開口部９６１〜９６４においても同様となる。
【０１３８】
前記第１、第２、第３実施形態のプロジェクター１は、Ｒ光、Ｇ光、Ｂ光に対応する３つの液晶パネル３４２を用いる、いわゆる３板方式を採用している。しかし、これに限られず、単板方式の液晶パネルを採用してもよい。また、コントラストを向上させるための液晶パネルを追加して採用してもよい。
【０１３９】
前記第１、第２、第３実施形態の光源装置４，４Ａ，４Ｂは、断面が略楕円面状の反射面６２１を有するリフレクター６を備えている。しかし、これに限られず、断面が略放物面状の反射面を有するリフレクターを備えていてもよい。このようなリフレクターを備えた場合、平行化レンズ３１０を省略することができる。
【０１４０】
前記第１、第２、第３実施形態の光源装置４，４Ａ，４Ｂは、超高圧水銀ランプを採用しているが、これに限られず、高輝度発光する種々の放電型のランプを採用することができ、例えば、メタルハライドランプや高圧水銀ランプ等を採用することができる。
【０１４１】
前記第１、第２、第３実施形態において、光変調装置は、透過型の液晶パネル３４２を用いているが、反射型の液晶パネル等、反射型の光変調装置を用いることも可能である。また、一般に、入射する光束を画像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【符号の説明】
【０１４２】
１…プロジェクター、２…冷却機構、４，４Ａ，４Ｂ…光源装置、５…発光管、６…リフレクター、７，８，９…固定部材、５１…発光部、５２Ａ，５２Ｂ…封止部、７１…側面部、７２…端面部、７３…通気口、７４…開閉部、７５…支軸、７６…開閉蓋、８１…固定部、８２…ベース部、８３…通気口、８４…開閉部、８５…支持部、８６…回動部材、８７…錘、９１…側面部、９２…端面部、９３…通気口、９４…開閉部、９５…支持部、９６…回動部材、９７…錘、３４２…液晶パネル、４１１…ダクト、６１１…挿通孔、６２１…反射面、７３１〜７３４…通気口、７５１〜７５４…支軸、７６１〜７６４…開閉蓋、８６１，８６２…開口部、９３１〜９３８…通気口、９６１〜９６４…開口部。
【図１】
2014048554.tif 000003
【図２】
2014048554.tif 000004
【図３】
2014048554.tif 000005
【図４】
2014048554.tif 000006
【図５】
2014048554.tif 000007
【図６】
2014048554.tif 000008
【図７】
2014048554.tif 000009
【図８】
2014048554.tif 000010